(57)【要約】【課題】簡易な構成で、操作が容易であるとともに、被介護者を安定した状態で持ち上げて移動させることができ、介護者の負担を軽減することができる介護用リフターを提供する。【解決手段】介護用リフター１０は、４本の支持柱１２が上端部で連結枠１３により四角枠状に連結された門型枠体１１と、対向する一方の連結枠１３間に架設され、両連結枠１３上を移動可能に構成された架橋部材１５と、架橋部材１５に固定されたシリンダ駆動装置１６と、ワイヤ１８を昇降させる昇降機構１７と、ワイヤ１８に連結され、被介護者２９を載せるネット部材３０とを備えている。昇降機構１７は、ワイヤ１８を支持する支持部１９と、該支持部１９に設けられてワイヤ１８が掛装される第１支持ローラ２０及び第２支持ローラ２１と、シリンダ駆動装置１６のピストンロッド２３の先端部に支持され、ワイヤ１８が掛装される可動ローラ２４とにより構成されている。【選択図】図１
2015019755.tif 000002
【特許請求の範囲】
【請求項１】
四隅に配置される各支持柱が上端部で連結枠により四角枠状に連結された門型枠体と、
前記連結枠のうち対向する一方の連結枠間に架設され、両連結枠上を移動可能に構成された架橋部材と、
前記架橋部材に設けられたシリンダ駆動装置と、
前記シリンダ駆動装置によって昇降部材を昇降させる昇降機構と、
前記昇降部材に連結され、被介護者を載せるネット部材と
を備えることを特徴とする介護用リフター。
【請求項２】
前記昇降機構は架橋部材に設けられ、昇降部材を支持する支持部と、該支持部に設けられて昇降部材が掛装される支持ローラと、前記シリンダ駆動装置のシリンダに設けられるピストンロッドの先端部に支持され、昇降部材が掛装される可動ローラとにより構成されていることを特徴とする請求項１に記載の介護用リフター。
【請求項３】
前記支持ローラは複数設けられ、昇降部材が可動ローラを介して複数の支持ローラに掛装されるように構成されていることを特徴とする請求項２に記載の介護用リフター。
【請求項４】
前記昇降部材には、架橋部材と交差する方向へ延びる接続バーが連結され、被介護者の肩部に位置するネット部材の両側部には接続バーに接続される一対の第１紐状体が設けられるとともに、被介護者の臀部に位置するネット部材の両側部には接続バーに接続される一対の第２紐状体が設けられていることを特徴とする請求項１から請求項３のいずれか一項に記載の介護用リフター。
【請求項５】
前記昇降部材の下端部と、第１紐状体及び第２紐状体とが係脱可能に構成されていることを特徴とする請求項４に記載の介護用リフター。
【請求項６】
前記ネット部材には、被介護者をネット部材に保持する保持部材が設けられていることを特徴とする請求項１から請求項５のいずれか一項に記載の介護用リフター。
【請求項７】
前記各支持柱の下端部にはキャスターが取付けられていることを特徴とする請求項１から請求項６のいずれか一項に記載の介護用リフター。
【発明の詳細な説明】
【技術分野】
【０００１】
本発明は、例えば被介護者をベッドの上で起き上がらせ、さらに被介護者を持ち上げてベッドの横まで移動させ、車椅子に載せる動作を容易に行うことができ、介護者の負担を軽減することができる介護用リフターに関する。
【背景技術】
【０００２】
負傷者等の患者、病人、介護を必要とする者等の被介護者の動作を補助する場合には、被介護者を起こしたり、持ち上げたり、持ち上げた後に移動させたりしなければならないことから、介護者には大きな負担が強いられている。そのような介護者の負担を軽減するために、被介護者を持ち上げたり、移動させたりするための昇降装置や介助装置が種々提案されている。
【０００３】
この種の介助装置として、例えば特許文献１には介護用リフターが開示されている。この介護用リフターは、ベース部材と、そのベース部材から上方に延びるフレーム部材と、該フレーム部材に対して上下動可能な昇降部材と、その昇降部材により対向して支持されたベルト支持部材と、ベルト支持部材に形成されたガイド溝部と、ガイド溝部に装着されるベルト係止部材と、ベルト係止部材に架け渡される複数のベルトとを備えている。
【０００４】
そして、例えばベッド上の被介護者を持ち上げて移動させる場合には、昇降部材の上下位置を調整するとともに、ベルト係止部材の間隔を調整した後、複数のベルトを被介護者の頭部位、腰部位、脚部位等を包むようにし、その状態で被介護者を持ち上げたり、移動させたりすることができる。
【先行技術文献】
【特許文献】
【０００５】
【特許文献１】特開平８−３３６５６１号公報
【発明の概要】
【発明が解決しようとする課題】
【０００６】
しかしながら、前記特許文献１に記載されている介護用リフターは、ベルト係止部材を対向して配置し、両ベルト係止部材にガイド溝部を設け、そのガイド溝部に一対のベルト係止部材を移動可能に構成し、両ベルト係止部材間に複数のベルトを架け渡さなければならず、構成が複雑で操作が面倒であった。しかも、特許文献１に記載されている介護用リフターは、複数のベルトを被介護者の複数部位に掛けて支持する構造であることから、被介護者をバランス良く、しかも安定した状態で支えて持ち上げることが難しいという問題があった。
【０００７】
そこで、本発明の目的とするところは、簡易な構成で、操作が容易であるとともに、被介護者を安定した状態で持ち上げて移動させることができ、介護者の負担を軽減することができる介護用リフターを提供することにある。
【課題を解決するための手段】
【０００８】
上記目的を達成するために、請求項１に記載の発明の介護用リフターは、四隅に配置される各支持柱が上端部で連結枠により四角枠状に連結された門型枠体と、前記連結枠のうち対向する一方の連結枠間に架設され、両連結枠上を移動可能に構成された架橋部材と、前記架橋部材に設けられたシリンダ駆動装置と、前記シリンダ駆動装置によって昇降部材を昇降させる昇降機構と、前記昇降部材に連結され、被介護者を載せるネット部材とを備えることを特徴とする。
【０００９】
請求項２に記載の発明の介護用リフターは、請求項１に係る発明において、前記昇降機構は架橋部材に設けられ、昇降部材を支持する支持部と、該支持部に設けられて昇降部材が掛装される支持ローラと、前記シリンダ駆動装置のシリンダに設けられるピストンロッドの先端部に支持され、昇降部材が掛装される可動ローラとにより構成されていることを特徴とする。
【００１０】
請求項３に記載の発明の介護用リフターは、請求項２に係る発明において、前記支持ローラは複数設けられ、昇降部材が可動ローラを介して複数の支持ローラに掛装されるように構成されていることを特徴とする。
【００１１】
請求項４に記載の発明の介護用リフターは、請求項１から請求項３のいずれか一項に係る発明において、前記昇降部材には、架橋部材と交差する方向へ延びる接続バーが連結され、被介護者の肩部に位置するネット部材の両側部には接続バーに接続される一対の第１紐状体が設けられるとともに、被介護者の臀部に位置するネット部材の両側部には接続バーに接続される一対の第２紐状体が設けられていることを特徴とする。
【００１２】
請求項５に記載の発明の介護用リフターは、請求項４に係る発明において、前記昇降部材の下端部と、第１紐状体及び第２紐状体とが係脱可能に構成されていることを特徴とする。
【００１３】
請求項６に記載の発明の介護用リフターは、請求項１から請求項５のいずれか一項に係る発明において、前記ネット部材には、被介護者をネット部材に保持する保持部材が設けられていることを特徴とする。
【００１４】
請求項７に記載の発明の介護用リフターは、請求項１から請求項６のいずれか一項に係る発明において、前記各支持柱の下端部にはキャスターが取付けられていることを特徴とする。
【発明の効果】
【００１５】
本発明の介護用リフターによれば、簡易な構成で、操作が容易であるとともに、被介護者を安定した状態で持ち上げて移動させることができ、介護者の負担を軽減することができるという優れた効果を奏する。
【図面の簡単な説明】
【００１６】
【図１】実施形態における介護用リフターの使用状態を表し、被介護者の上半身を起こした状態を示す正面図。
【図２】実施形態における介護用リフターの使用状態を表し、被介護者の下にネット部材を敷いて、第１紐状体をワイヤに接続した状態を示す正面図。
【図３】第１紐状体及び第２紐状体が取付けられたネット部材を示す斜視図。
【図４】ネット部材上に被介護者を載せ、被介護者の上半身を起こした状態を示す斜視図。
【図５】介護用リフターを示し、ネット部材を吊り下げた昇降機構を移動させる状態を示す平面図。
【図６】昇降機構のスライド構造を示す断面図。
【発明を実施するための形態】
【００１７】
以下、本発明を具体化した実施形態を図１〜図６に基づいて詳細に説明する。
図１及び図５に示すように、介護用リフター１０を構成する門型枠体１１は、四隅に配置される各支持柱１２が上端部で連結枠１３により四角枠状に連結されて構成されている。各支持柱１２の下端部にはキャスター１４が取付けられ、門型枠体１１が任意の方向に移動可能になっている。
【００１８】
図５に示すように、前記連結枠１３のうち、対向する一方の連結枠１３間には、両端部に位置する後述の第２移動体５４により両連結枠１３上を移動可能に構成された一対の架橋部材１５が架設されている。前記架橋部材１５には、モータによってボールねじが回転駆動するシリンダ駆動装置１６が固定されている。このシリンダ駆動装置１６は、オイル又はエアで駆動する構造であってもよい。また、架橋部材１５には、シリンダ駆動装置１６によって駆動される昇降機構１７が設けられている。
【００１９】
図１に示すように、この昇降機構１７は、昇降部材としてのワイヤ１８を支持する支持部１９と、該支持部１９に設けられてワイヤ１８が掛装される一対の第１支持ローラ２０及び第２支持ローラ２１と、シリンダ駆動装置１６のシリンダ２２のピストンロッド２３先端部に支持され、ワイヤ１８が掛装される可動ローラ２４とにより構成されている。なお、昇降部材としては、ワイヤ１８以外に、ベルト、ロープ、チェーン等を用いることも可能である。
【００２０】
前記ワイヤ１８の一端は支持部１９の止め具２５に固定され、そのワイヤ１８は可動ローラ２４から第２支持ローラ２１を回って再度可動ローラ２４を経て第１支持ローラ２０から吊下され、ワイヤ１８の他端には円筒状の接続バー２６が連結されている。すなわち、ワイヤ１８は、両支持ローラ２０，２１と可動ローラ２４との間をほぼ２往復するように構成されている。
【００２１】
図４に示すように、ワイヤ１８の下端部と接続バー２６とは、ワイヤ１８の下端部が二股に分岐され、両分岐ワイヤ１８ａ、１８ｂが接続バー２６に巻き付けられて連結されている。接続バー２６の両側下面には、それぞれ支持アーム２７が下方へ延び、その下端部には円環状の接続リング２８が設けられている。
【００２２】
図３及び図４に示すように、被介護者２９を載せるネット部材３０は、ポリアミド、ポリエステル、ポリエチレン等の合成繊維によるメッシュ状の網で矩形状に形成されている。被介護者２９の肩部３１に位置するネット部材３０の両側部には一対の第１紐状体３２が取付けられるとともに、被介護者２９の臀部３３に位置するネット部材３０の両側部には一対の第２紐状体３４が取付けられている。第１紐状体３２及び第２紐状体３４の先端部にはそれぞれフック３５が取着され、接続リング２８に対して係脱可能になっている。
【００２３】
また、被介護者２９の腰部５７に位置するネット部材３０の両側部には、保持部材として一対の上部保持紐５８と一対の下部保持紐５９が取付けられ、それらの上部保持紐５８及び下部保持紐５９の各先端部が保持部材を構成するバックル６０に着脱可能に連結されている。上部保持紐５８及び下部保持紐５９とバックル６０との連結は、図示しない公知の連結構造が採用され、ワンタッチで着脱できるようになっている。上部保持紐５８及び下部保持紐５９がバックル６０に連結された状態で被介護者２９がネット部材３０に保持される。
【００２４】
図６に示すように、架橋部材１５に対する可動ローラ２４の支持構造について説明する。まず、架橋部材１５上を移動する第１移動体３６について説明する。この第１移動体３６を構成するストレートプレート３７は架橋部材１５の内側面に沿って位置し、そのストレートプレート３７に対して断面がクランク状をなす合せプレート３８の上部が外側から重ね合されて締付ボルト３９と締付ナット４０で締付けられている。また、合せプレート３８の中間部及び下部が架橋部材１５に対し若干の隙間をおいて挟むように下部位置でボルト４１とナット４３にてストレートプレート３７に締付けられている。架橋部材１５より上方位置におけるストレートプレート３７と合せプレート３８との間の空間部には、一対のローラ４５が軸部材４６で連結されて構成されたローラ部材４７が支持ボルト４８と支持ナット４９で締付けられて支持され、支持ボルト４８の軸部４８ａの周りで回転可能に支持され、架橋部材１５上を転動できるようになっている。
【００２５】
図５に示すように、上記のような第１移動体３６が各架橋部材１５に一対ずつ設けられ、各一対の第１移動体３６がそれぞれ前記ストレートプレート３７で連結されている。これらのストレートプレート３７間には回転軸５０が架設され、その回転軸５０の中央部に可動ローラ２４が回転可能に支持されている。また、前記両ストレートプレート３７は、架橋プレート５２で連結され、この架橋プレート５２に前記ピストンロッド２３の先端部が取付ボルト５３で固定されている。可動ローラ２４と前記第１支持ローラ２０及び第２支持ローラ２１との間には、ワイヤ１８が掛装されている。
【００２６】
前記架橋部材１５の両端部には、それぞれ前述の第１移動体３６と同じ構造を有する第２移動体５４が設けられ、各第２移動体５４が前記連結枠１３上を可動ローラ２４の移動方向とは直交する方向に移動可能になっている。この第２移動体５４の移動は、図示しないモータにより行われるようになっている。
【００２７】
前述した門型枠体１１、架橋部材１５、シリンダ駆動装置１６、昇降部材としてのワイヤ１８、昇降機構１７、ネット部材３０等により、ベッド５５上の被介護者２９を持ち上げた後、移動させて車椅子５６に載せるための介護用リフター１０が構成されている。
【００２８】
次に、上記のように構成された介護用リフター１０について作用を説明する。
さて、図５に示すように、例えば介護施設内において、ベッド５５に横たわる被介護者２９を車椅子５６に載せる場合には、架橋部材１５に設けられた昇降機構１７を図５の実線の位置に設定する。このとき、４本の支持柱１２にはキャスター１４が取付けられていることから、介護用リフター１０がベッド５５を跨ぐように速やかに移動させることができるとともに、昇降機構１７をベッド５５の中央位置に容易に設定することができる。
【００２９】
続いて、図２に示すように、被介護者２９の下にネット部材３０を置くとともに、上部保持紐５８と下部保持紐５９を被介護者２９上に載せ、上部保持紐５８及び下部保持紐５９の先端部をバックル６０に連結し、被介護者２９をネット部材３０に保持する。そして、左右に一対設けられた第１紐状体３２のフック３５をそれぞれ接続リング２８に係止する。
【００３０】
次いで、図１に示すように、シリンダ駆動装置１６を駆動させてピストンロッド２３をシリンダ２２から突出させることにより、可動ローラ２４は前進し、第１支持ローラ２０から吊下されているワイヤ１８が巻き取られて引き上げられる。このとき、ワイヤ１８は第１支持ローラ２０と可動ローラ２４との間及び第２支持ローラ２１と可動ローラ２４との間にほぼ２往復するように掛装されていることから、可動ローラ２４の移動量すなわちピストンロッド２３の突出量を少なくして、ワイヤ１８の引き上げ量を十分に確保することができる。
【００３１】
そして、ワイヤ１８に接続バー２６、支持アーム２７及び接続リング２８を介して吊下されている第１紐状体３２が引き上げられ、ネット部材３０の一端側が引き上げられる。従って、被介護者２９の肩部３１が持ち上げられ、被介護者２９の上体が起き上がる。この状態で、シリンダ駆動装置１６の駆動を停止し、ワイヤ１８の上昇を停止する。続いて、左右に一対設けられた第２紐状体３４のフック３５をそれぞれ接続リング２８に係止する。
【００３２】
図１及び図４に示すように、その状態で、再びシリンダ駆動装置１６を駆動させてピストンロッド２３を突出させることにより、ワイヤ１８が引き上げられて第１紐状体３２及び第２紐状体３４が引き上げられる。そのため、被介護者２９の臀部３３が持ち上げられ、体全体がベッド５５から浮き上がる。この状態で、シリンダ駆動装置１６の駆動を停止し、ワイヤ１８の上昇を止める。
【００３３】
次に、図５の二点鎖線に示すように、その状態で第２移動体５４を駆動させ、架橋部材１５を、ベッド５５の側縁を超える位置まで移動させる。このとき、被介護者２９は、ネット部材３０上に保持された状態で車椅子５６の上方位置に到る。この状態で、シリンダ駆動装置１６を駆動させて、ピストンロッド２３をシリンダ２２内に没入させることにより、第１支持ローラ２０及び第２支持ローラ２１と可動ローラ２４との距離が短縮され、ワイヤ１８が第１支持ローラ２０から下りてくる。
【００３４】
このため、被介護者２９を、ネット部材３０に保持した状態で車椅子５６に載せることができる。その後、第１紐状体３２及び第２紐状体３４の各フック３５をそれぞれ接続リング２８から外した後、上部保持紐５８及び下部保持紐５９をバックル６０から外すことにより、被介護者２９を車椅子５６に載せて移動させることができる。
【００３５】
以上詳述した実施形態により発揮される効果を以下にまとめて説明する。
（１）本実施形態の介護用リフター１０は、門型枠体１１と、対向する一方の連結枠１３上を移動可能に構成された架橋部材１５と、その架橋部材１５に設けられたシリンダ駆動装置１６と、シリンダ駆動装置１６によってワイヤ１８を昇降させる昇降機構１７と、ワイヤ１８に連結され、被介護者２９を載せるネット部材３０とを備えている。
【００３６】
このため、例えばベッド５５上に横たわる被介護者２９を起き上がらせて車椅子５６に載せる場合には、門型枠体１１を、ベッド５５を跨ぐように配置し、ネット部材３０を被介護者２９の下に置き、そのネット部材３０をワイヤ１８に連結して、昇降機構１７でワイヤ１８を引き上げることにより被介護者２９を持ち上げることができる。その状態で架橋部材１５を移動させることにより、被介護者２９を車椅子５６の上方位置まで運ぶことができる。さらに、昇降機構１７を駆動させて、ワイヤ１８を降ろすことにより、被介護者２９を車椅子５６に載せることができる。
【００３７】
従って、本実施形態の介護用リフター１０によれば、簡易な構成で、操作が容易であるとともに、被介護者２９を安定した状態で持ち上げて移動させることができ、介護者の負担を軽減することができるという優れた効果を奏する。
（２）前記昇降機構１７は、ワイヤ１８を支持する支持部１９と、該支持部１９に設けられてワイヤ１８が掛装される第１支持ローラ２０及び第２支持ローラ２１と、シリンダ駆動装置１６のシリンダ２２に設けられるピストンロッド２３の先端部に支持され、ワイヤ１８が掛装される可動ローラ２４とにより構成されている。
【００３８】
このため、シリンダ駆動装置１６を駆動させてシリンダ２２のピストンロッド２３を出没動作させることにより、ワイヤ１８を容易に上下動させることができる。
（３）前記昇降機構１７を構成する支持ローラは第１支持ローラ２０と第２支持ローラ２１との２つ設けられ、昇降部材としてのワイヤ１８が可動ローラ２４を介して２つの第１支持ローラ２０及び第２支持ローラ２１に掛装されるように構成されている。
【００３９】
従って、第１支持ローラ２０及び第２支持ローラ２１と可動ローラ２４との距離を短くして介護用リフター１０を小型化することができ、言い換えれば第１支持ローラ２０及び第２支持ローラ２１と可動ローラ２４との距離を一定にすれば、ワイヤ１８の昇降量を大きくする設定することができる。
（４）前記ワイヤ１８には架橋部材１５の直交方向へ延びる接続バー２６が連結され、被介護者２９の肩部３１に位置するネット部材３０の両側部には接続バー２６に接続される一対の第１紐状体３２が設けられるとともに、被介護者２９の臀部３３に位置するネット部材３０の両側部には接続バー２６に接続される一対の第２紐状体３４が設けられている。
【００４０】
そのため、第１紐状体３２によって被介護者２９の肩部３１を支え、第２紐状体３４によって被介護者２９の臀部３３を支えて、ネット部材３０上の被介護者２９をワイヤ１８にてバランス良く、安定した状態で速やかに起こしたり、持ち上げたりすることができる。
（５）前記昇降部材としてのワイヤ１８の下端部すなわち接続リング２８と、第１紐状体３２及び第２紐状体３４すなわちそれらのフック３５とが係脱可能に構成されている。
【００４１】
このため、第１紐状体３２及び第２紐状体３４をワイヤ１８から離間した非係合状態でネット部材３０上に被介護者２９を載せることができる。さらに、第１紐状体３２のフック３５をワイヤ１８の接続リング２８に係合して被介護者２９の肩部３１を持ち上げることができるとともに、第２紐状体３４のフック３５をワイヤ１８の接続リング２８に係合して被介護者２９の臀部３３を持ち上げることができる。
（６）前記ネット部材３０には、被介護者２９をネット部材３０に保持する保持部材としての一対の上部保持紐５８、一対の下部保持紐５９及びバックル６０が設けられている。このため、上部保持紐５８と下部保持紐５９の先端部をバックル６０に連結することにより、被介護者２９をネット部材３０に容易かつ速やかに保持することができる。
（７）前記昇降部材がワイヤ１８又はベルトであることにより、簡単な構成で、十分な強度を発揮でき、被介護者２９を持ち上げたり、降ろしたりする動作を繰り返し行うことができる。
（８）前記各支持柱１２の下端部にはキャスター１４が取付けられている。このため、介護用リフター１０の移動操作をいずれの移動方向に対しても円滑に、しかも迅速に行うことができる。
【００４２】
なお、前記実施形態を次のように変更して実施することも可能である。
・  前記昇降機構１７を構成する支持ローラを、第１支持ローラ２０及び第２支持ローラ２１に加えて、３つ以上の支持ローラで構成してもよい。この場合には、支持ローラと可動ローラ２４との間隔を一層狭くして介護用リフター１０の小型化を図ったり、ワイヤ１８の昇降量を増大させたりすることができる。また、第２支持ローラ２１を省略し、第１支持ローラ２０のみで支持ローラを構成してもよい。
【００４３】
・  前記介護用リフター１０を、第１紐状体３２により被介護者２９の肩部３１を支え、ワイヤ１８を引き上げて被介護者２９を起き上がらせるためだけに使用してもよい。さらに、介護用リフター１０を、その状態から第２紐状体３４により臀部３３を支え、ワイヤ１８を引き上げて被介護者２９を持ち上げた後、架橋部材１５を移動させ、被介護者２９をベッド５５の横まで運び、立ち上がらせて歩行できる態勢にするために使用してもよい。
【００４４】
・  前記第１紐状体３２及び第２紐状体３４に加えて、腰部に位置するネット部材３０の両側部や脚部に位置するネット部材３０の両側部等に紐状体を設けてもよい。また、第２紐状体３４に代えて、腰部に位置するネット部材３０の両側部に紐状体を設けてもよい。
【００４５】
・  前記介護用リフター１０を、病院内のベッド５５で使用したり、自宅内のベッド５５で使用したりしてもよい。
・  前記保持部材としてのバックル６０を省略し、一対の上部保持紐５８の先端部間を結び合せるとともに、一対の下部保持紐５９の先端部間を結び合せるように構成してもよい。
【００４６】
・  前記介護用リフター１０を、畳の上の布団に横たわる被介護者２９に対して適用したり、椅子に座っている被介護者２９に適用したりしてもよい。
【符号の説明】
【００４７】
１０…介護用リフター、１１…門型枠体、１２…支持柱、１３…連結枠、１４…キャスター、１５…架橋部材、１６…シリンダ駆動装置、１７…昇降機構、１８…昇降部材としてのワイヤ、１９…支持部、２０…第１支持ローラ、２１…第２支持ローラ、２２…シリンダ、２３…ピストンロッド、２４…可動ローラ、２６…接続バー、２９…被介護者、３０…ネット部材、３１…肩部、３２…第１紐状体、３３…臀部、３４…第２紐状体、５８…保持部材としての上部保持紐、５９…保持部材としての下部保持紐、６０…保持部材としてのバックル。
【図１】
2015019755.tif 000003
【図２】
2015019755.tif 000004
【図３】
2015019755.tif 000005
【図４】
2015019755.tif 000006
【図５】
2015019755.tif 000007
【図６】
2015019755.tif 000008